(57)【要約】【課題】安価な構成で消費電力量をユーザに通知することができるファクシミリ装置を提供することを目的としている。【解決手段】２４時間（一日分）の各動作モードの稼働時間を積算し、その積算値と、消費電力量算出基準テーブルに記憶されている各動作モードの消費電力量基準値に基づいて、各動作モードについての消費電力量を算出し、さらに、各動作モードについての消費電力量の総和を算出して、一日分の消費電力量を得ているので、消費電力量を測定するための特別なハードウェア、例えば、電流計等を必要とせず、安価なコストで装置の消費電力量をユーザに提供することができるという効果を得る。【選択図】          図２
2004248082.tif 000002
【特許請求の範囲】
【請求項１】
自動発着信機能を備えたファクシミリ装置において、
動作モード毎の単位時間あたりの消費電力量を記憶した消費電力量算出基準テーブル記憶手段と、
所定期間における動作モード毎の実行時間を積算する実行時間積算手段と、
上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出して保存する消費電力量算出保存手段を備え、
ユーザからの指令操作により、上記消費電力量算出保存手段に保存した消費電力量を可視出力することを特徴とするファクシミリ装置。
【請求項２】
自動発着信機能を備えたファクシミリ装置において、
動作モード毎の単位時間あたりの消費電力量を記憶した消費電力量算出基準テーブル記憶手段と、
所定期間における動作モード毎の実行時間を積算する実行時間積算手段と、
上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、
ユーザから指定された指定期間に含まれる上記所定期間の個数に基づいて、上記消費電力量算出保存手段よりそれぞれの消費電力量を読み出し、その読み出した消費電力量の総和を、上記指定期間における消費電力量として可視出力することを特徴とするファクシミリ装置。
【請求項３】
自動発着信機能を備えたファクシミリ装置において、
動作モード毎の単位時間あたりの消費電力量を記憶した消費電力量算出基準テーブル記憶手段と、
所定期間における動作モード毎の実行時間を積算する実行時間積算手段と、
上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、
ユーザから指定された指定期間に基づいて特定した上記所定期間に対応した消費電力量を上記消費電力量算出保存手段より読み出し、その読み出した消費電力量を、上記指定期間における消費電力量として可視出力することを特徴とするファクシミリ装置。
【請求項４】
自動発着信機能を備えたファクシミリ装置において、
動作モード毎の単位時間あたりの消費電力量を記憶した消費電力量算出基準テーブル記憶手段と、
所定期間における動作モード毎の実行時間を積算する実行時間積算手段と、
上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、
ユーザから指定された指定期間に基づいて特定した１つ以上の上記所定期間に対応した消費電力量を上記消費電力量算出保存手段より読み出し、その読み出した消費電力量の総和を、上記指定期間における消費電力量として可視出力することを特徴とするファクシミリ装置。
【請求項５】
前記所定期間は、時刻０：００から起算される２４時間であることを特徴とする請求項１または請求項２または請求項３または請求項４記載のファクシミリ装置。
【発明の詳細な説明】
【０００１】
【発明の属する技術分野】
本発明は、自動発着信機能を備えたファクシミリ装置に関する。
【０００２】
【従来の技術】
一般に、ファクシミリ装置のように常時起動して着信を待ち受けるような通信装置では、ランニングコストとしてその消費電力量が問題になることがあり、そのため、機器の消費電流を測定する電流計を設け、その電流計の測定値に基づいて電力量を算出するようにしたものが提案されている（特許文献１参照）。
【０００３】
【特許文献１】
特開平１１−２３７４１４号公報
【０００４】
【発明が解決しようとする課題】
しかしながら、このような従来装置では、消費電流を測定するための電流計を設ける必要があり、装置コストが高くなるという不具合を生じていた。
【０００５】
本発明は、かかる実情に鑑みてなされたものであり、安価な構成で消費電力量をユーザに通知することができるファクシミリ装置を提供することを目的としている。
【０００６】
【課題を解決するための手段】
本発明は、自動発着信機能を備えたファクシミリ装置において、動作モード毎の単位時間あたりの消費電力量を記憶した消費電力量算出基準テーブル記憶手段と、所定期間における動作モード毎の実行時間を積算する実行時間積算手段と、上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出して保存する消費電力量算出保存手段を備え、ユーザからの指令操作により、上記消費電力量算出保存手段に保存した消費電力量を可視出力するようにしたものである。
【０００７】
また、自動発着信機能を備えたファクシミリ装置において、動作モード毎の単位時間あたりの消費電力量を記憶した消費電力量算出基準テーブル記憶手段と、所定期間における動作モード毎の実行時間を積算する実行時間積算手段と、上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、ユーザから指定された指定期間に含まれる上記所定期間の個数に基づいて、上記消費電力量算出保存手段よりそれぞれの消費電力量を読み出し、その読み出した消費電力量の総和を、上記指定期間における消費電力量として可視出力するようにしたものである。
【０００８】
また、自動発着信機能を備えたファクシミリ装置において、動作モード毎の単位時間あたりの消費電力量を記憶した消費電力量算出基準テーブル記憶手段と、所定期間における動作モード毎の実行時間を積算する実行時間積算手段と、上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、ユーザから指定された指定期間に基づいて特定した上記所定期間に対応した消費電力量を上記消費電力量算出保存手段より読み出し、その読み出した消費電力量を、上記指定期間における消費電力量として可視出力するようにしたものである。
【０００９】
また、自動発着信機能を備えたファクシミリ装置において、動作モード毎の単位時間あたりの消費電力量を記憶した消費電力量算出基準テーブル記憶手段と、所定期間における動作モード毎の実行時間を積算する実行時間積算手段と、上記実行時間積算手段が積算した動作モード毎の実行時間と、上記消費電力量算出基準テーブル記憶手段の記憶内容を参照して、上記所定期間における各動作モードの消費電力量を算出し、その算出した各動作モードの消費電力量の総和を、上記所定期間における消費電力量として算出し、上記所定期間の複数個について、それぞれ消費電力量を保存する消費電力量算出保存手段を備え、ユーザから指定された指定期間に基づいて特定した１つ以上の上記所定期間に対応した消費電力量を上記消費電力量算出保存手段より読み出し、その読み出した消費電力量の総和を、上記指定期間における消費電力量として可視出力するようにしたものである。
【００１０】
また、前記所定期間は、時刻０：００から起算される２４時間である。
【００１１】
【発明の実施の形態】
以下、添付図面を参照しながら、本発明の実施の形態を詳細に説明する。
【００１２】
図１は、本発明の一実施例にかかるグループ３ファクシミリ装置を示している。
【００１３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１７】
網制御装置１１は、このグループ３ファクシミリ装置をアナログ公衆網ＰＳＴＮに接続するためのものであり、自動発着信機能を備えている。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１９】
また、網制御装置１１とグループ３ファクシミリモデム１０との間のデータのやりとりは、直接行なわれている。
【００２０】
さて、本実施例では、時刻０：００から２４時間の消費電力量を測定するために、まず、各動作モードにおける単位時間（例えば、「秒」）あたりの消費電力量（以下、「消費電力量基準値」という）を、例えば、テストベンチにおけるテスト動作中に測定し、図２（ａ）に示すような消費電力量算出基準テーブルに保存する。この消費電力量算出基準テーブルは、例えば、パラメータメモリ３等に記憶される。
【００２１】
この消費電力量算出基準テーブルには、待機モードにおける消費電力量基準値をあらわす待機モード消費電力量基準情報、コピーモード（コピー動作中）における消費電力量基準値をあらわすコピーモード消費電力量基準情報、送信モード（送信動作中）における消費電力量基準値をあらわす送信モード消費電力量基準情報、および、受信モード（受信動作中）における消費電力量基準値をあらわす受信モード消費電力量基準情報がそれぞれ記憶されている。
【００２２】
図３は、時刻０：００から２４時間の消費電力量を測定する際の、グループ３ファクシミリ装置の処理の一例を示している。
【００２３】
まず、時刻０：００になるまで待ち（判断１０１のＮＯループ）、時刻０：００になると（判断１０１の結果がＹＥＳ）、動作モード毎の稼働時間測定を開始し（処理１０２）、２４時間の測定期間が終了するまで待つ（判断１０３のＮＯループ）。また、処理１０２で開始される測定処理では、待機モード、コピーモード、送信モード、および、受信モードにおいて、それぞれ別個のタイマを起動して継続時間を「秒」単位で測定し、その総和を当該モードにおける稼働時間として積算する。
【００２４】
測定機関が終了して、判断１０３の結果がＹＥＳになると、各動作モードについて積算した継続時間（単位は秒）と、上記消費電力量算出基準テーブルに記憶している消費電力基準値との積を算出し、それぞれの積の総和を算出して、その算出結果を、２４時間における消費電力量として、例えば、パラメータメモリ３等にその記憶領域が設けられる消費電力量情報（図２（ｂ）参照）に保存する（処理１０４）。そして、判断１０１へ戻り、次の２４時間についての消費電力量の測定動作を行う。
【００２５】
また、グループ３ファクシミリ装置にユーザは、操作表示部７を適宜に操作して、消費電力量の表示を要求することができる。また、その要求が操作されると、グループ３ファクシミリ装置は、消費電力量情報の内容を読み出して、操作表示部７に所定の書式（図示略）で表示出力する。
【００２６】
図４は、ユーザから消費電力量の表示が要求された場合の、グループ３ファクシミリ装置の処理の一例を示している。
【００２７】
操作表示部７が操作されて消費電力量の表示が要求されると（判断２０１の結果がＹＥＳ）、パラメータメモリ３から消費電力量情報の内容を読み出して（処理２０２）、その内容を操作表示部７に所定の書式で表示出力する（処理２０３）。
【００２８】
このようにして、本実施例では、２４時間（一日分）の各動作モードの稼働時間を積算し、その積算値と、消費電力量算出基準テーブルに記憶されている各動作モードの消費電力量基準値に基づいて、各動作モードについての消費電力量を算出し、さらに、各動作モードについての消費電力量の総和を算出して、一日分の消費電力量を得ているので、消費電力量を測定するための特別なハードウェア、例えば、電流計等を必要とせず、安価なコストで装置の消費電力量をユーザに提供することができる。
【００２９】
ところで、上述した実施例では、一日分の消費電力量を測定して保存しているが、例えば、図５に示すように、３１日分の消費電力情報を保存可能な消費電力量テーブルを備え、測定した一日分の消費電力量を、当該測定日付の日の値に応じた消費電力量テーブルの項目（消費電力量情報）に保存する。例えば、２月１日の測定日の消費電力量は、消費電力量情報＃１に保存し、３月３０日の測定日の消費電力量は、消費電力量情報＃３０に保存する。
【００３０】
これにより、ユーザが指定した日数分の消費電力量を表示したり、あるいは、ユーザが指定した日付の消費電力量を表示することができ、便利である。
【００３１】
図６は、この場合において、消費電力量を測定する際のグループ３ファクシミリ装置の処理の一例を示している。
【００３２】
まず、時刻０：００になるまで待ち（判断３０１のＮＯループ）、時刻０：００になると（判断３０１の結果がＹＥＳ）、動作モード毎の稼働時間測定を開始し（処理３０２）、２４時間の測定期間が終了するまで待つ（判断３０３のＮＯループ）。また、処理３０２で開始される測定処理では、待機モード、コピーモード、送信モード、および、受信モードにおいて、それぞれ別個のタイマを起動して継続時間を「秒」単位で測定し、その総和を当該モードにおける稼働時間として積算する。
【００３３】
測定機関が終了して、判断３０３の結果がＹＥＳになると、各動作モードについて積算した継続時間（単位は秒）と、上記消費電力量算出基準テーブルに記憶している消費電力基準値との積を算出し、それぞれの積の総和を算出する（処理３０４）。
【００３４】
次いで、現在の日付を取得し（処理３０５）、処理３０５で取得した日付の一日前を測定日付として認識し、その測定日付に対応した消費電力量テーブルの消費電力量情報に、処理３０４で得た算出結果を保存する（処理３０６）。そして、判断３０１へ戻り、次の２４時間についての消費電力量の測定動作を行う。
【００３５】
図７は、ユーザが指定した日数分の消費電力量を表示する場合の処理の一例を示している。
【００３６】
まず、ユーザから消費電力量表示要求が操作されることを監視しており（判断４０１のＮＯループ）、ユーザが消費電力量表示要求を操作した場合で、判断４０１の結果がＹＥＳになると、消費電力量を表示する日数をユーザに入力させるガイダンスメッセージを表示して、ユーザに日数を入力させる（処理４０２）。
【００３７】
次に、当日の日付を取得して、その前日から入力された日数分の消費電力量情報を、消費電力量テーブルから読み出す（処理４０３）。例えば、当日が２月１０日であり、４日の日数が指定された場合には、２月９日から２月６日までが指定されたことになるので、消費電力量テーブルの消費電力量情報＃９，＃８，＃７，＃６の４つの内容を読み出す。
【００３８】
そして、処理４０３で読み出した消費電力量情報の総和を算出して表示情報を作成し（処理４０４）、その内容を操作表示部７に所定の書式で表示出力する（処理４０５）。
【００３９】
図８は、ユーザが指定した日付の消費電力量を表示する場合の処理の一例を示している。
【００４０】
まず、ユーザから消費電力量表示要求が操作されることを監視しており（判断５０１のＮＯループ）、ユーザが消費電力量表示要求を操作した場合で、判断５０１の結果がＹＥＳになると、消費電力量を表示する日付をユーザに入力させるガイダンスメッセージを表示して、ユーザに日付を入力させる（処理５０２）。
【００４１】
ここで、指定された日付が、１ヶ月以内の日付であるかどうかを調べ（判断５０３）、判断５０３の結果がＹＥＳになるときには、指定された日付の情報を保存しているので、指定日に対応した消費電力量情報を消費電力量テーブルより読み出す（処理５０４）。例えば、２月２１日が指定された場合には、消費電力量テーブルの消費電力量情報＃２１の内容を読み出す。
【００４２】
そして、処理５０４で読み出した内容を操作表示部７に所定の書式で表示出力する（処理５０５）。
【００４３】
また、指定された日付が、１ヶ月を超えた前の日付であり、判断５０３の結果がＮＯになるときには、エラー表示をして（処理５０６）、この処理を終了する。
【００４４】
なお、上述した実施例では、２４時間を消費電力量の測定単位としているが、それ以外の期間を測定単位とすることもできる。また、上述した実施例では、ファクシミリ装置に本発明を適用しているが、それ以外の装置機能を併せ持つ装置、例えば、ファクシミリ複写機スキャナ複合装置についても本発明を同様にして適用することができる。
【００４５】
【発明の効果】
以上説明したように、本発明によれば、２４時間（一日分）の各動作モードの稼働時間を積算し、その積算値と、消費電力量算出基準テーブルに記憶されている各動作モードの消費電力量基準値に基づいて、各動作モードについての消費電力量を算出し、さらに、各動作モードについての消費電力量の総和を算出して、一日分の消費電力量を得ているので、消費電力量を測定するための特別なハードウェア、例えば、電流計等を必要とせず、安価なコストで装置の消費電力量をユーザに提供することができるという効果を得る。
【図面の簡単な説明】
【図１】本発明の一実施例にかかるグループ３ファクシミリ装置の構成例を示したブロック図。
【図２】消費電力量算出基準テーブルの一例を示した概略図。
【図３】時刻０：００から２４時間の消費電力量を測定する際の、グループ３ファクシミリ装置の処理の一例を示したフローチャート。
【図４】ユーザから消費電力量の表示が要求された場合の、グループ３ファクシミリ装置の処理の一例を示したフローチャート。
【図５】消費電力量テーブルの一例を示した概略図。
【図６】時刻０：００から２４時間の消費電力量を測定する際の、グループ３ファクシミリ装置の処理の他の例を示したフローチャート。
【図７】ユーザから消費電力量の表示が要求された場合の、グループ３ファクシミリ装置の処理の他の例を示したフローチャート。
【図８】ユーザから消費電力量の表示が要求された場合の、グループ３ファクシミリ装置の処理のさらに他の例を示したフローチャート。
【符号の説明】
１  システム制御部
２  システムメモリ
３  パラメータメモリ
４  時計回路
【図１】
2004248082.tif 000003
【図２】
2004248082.tif 000004
【図３】
2004248082.tif 000005
【図４】
2004248082.tif 000006
【図５】
2004248082.tif 000007
【図６】
2004248082.tif 000008
【図７】
2004248082.tif 000009
【図８】
2004248082.tif 000010